(57)【特許請求の範囲】
【請求項１】
ワイヤレスネットワークにおいてサービス提供中のデバイスにアップリンク送信を送信すること、
アップリンク再送信タイムスロット中に前記サービス提供中のデバイスに前記アップリンク送信を再送信すること、および
前記アップリンク再送信タイムスロット中に前記サービス提供中のデバイスに前記アップリンク送信を送信するコグニティブなピアツーピアデバイスからピアツーピア通信を受信すること、を備える方法。
【請求項２】
前記アップリンク送信について前記サービス提供中のデバイスから再送信通知を受信することをさらに備える、請求項１に記載の方法。
【請求項３】
前記再送信通知が制御チャネルを通じて受信される、請求項２に記載の方法。
【請求項４】
前記ピアツーピア通信が、利用可能な送信電力の一部分を使用して送信される、請求項１に記載の方法。
【請求項５】
前記サービス提供中のデバイスがアクセスポイントであり、前記ピアツーピアデバイスがコグニティブ無線である、請求項１に記載の方法。
【請求項６】
ワイヤレス通信装置であって、
ワイヤレスネットワークにおいてサービス提供中のデバイスにアップリンク送信を送信すること、
アップリンク再送信タイムスロット中に前記サービス提供中のデバイスに前記アップリンク送信を再送信すること、および
前記アップリンク再送信タイムスロット中に前記サービス提供中のデバイスに前記アップリンク送信を送信するコグニティブなピアツーピアデバイスからピアツーピア通信を受信すること、
を行うように構成された、少なくとも１つのプロセッサと、
前記少なくとも１つのプロセッサに結合されたメモリと、を備える、ワイヤレス通信装置。
【請求項７】
前記少なくとも１つのプロセッサが、前記アップリンク送信について前記サービス提供中のデバイスから再送信通知を受信すること、を行うようにさらに構成される、請求項６に記載のワイヤレス通信装置。
【請求項８】
前記再送信通知が制御チャネルを通じて受信される、請求項７に記載のワイヤレス通信装置。
【請求項９】
前記ピアツーピア通信が、利用可能な送信電力の一部分を使用して送信される、請求項６に記載のワイヤレス通信装置。
【請求項１０】
前記サービス提供中のデバイスがアクセスポイントであり、前記ピアツーピアデバイスがコグニティブ無線である、請求項６に記載のワイヤレス通信装置。
【請求項１１】
ワイヤレスネットワークにおいてサービス提供中のデバイスにアップリンク送信を送信する手段、
アップリンク再送信タイムスロット中に前記サービス提供中のデバイスに前記アップリンク送信を再送信する手段、および
前記アップリンク再送信タイムスロット中に前記サービス提供中のデバイスに前記アップリンク送信を送信するコグニティブなピアツーピアデバイスからピアツーピア通信を受信する手段、を備える装置。
【請求項１２】
前記アップリンク送信について前記サービス提供中のデバイスから再送信通知を受信する手段をさらに備える、請求項１１に記載の装置。
【請求項１３】
前記再送信通知が制御チャネルを通じて受信される、請求項１２に記載の装置。
【請求項１４】
前記ピアツーピア通信が、利用可能な送信電力の一部分を使用して送信される、請求項１１に記載の装置。
【請求項１５】
前記サービス提供中のデバイスがアクセスポイントであり、前記ピアツーピアデバイスがコグニティブ無線である、請求項１１に記載の装置。
【請求項１６】
コンピュータプログラムであって、
少なくとも１つのコンピュータに、ワイヤレスネットワークにおいてサービス提供中のデバイスにアップリンク送信を送信することを行わせるコード、
前記少なくとも１つのコンピュータに、アップリンク再送信タイムスロット中に前記サービス提供中のデバイスに前記アップリンク送信を再送信することを行わせるコード、
前記少なくとも１つのコンピュータに、前記アップリンク再送信タイムスロット中に前記サービス提供中のデバイスに前記アップリンク送信を送信するコグニティブなピアツーピアデバイスからピアツーピア通信を受信することを行わせるコード、
を備える、コンピュータプログラム。
【請求項１７】
前記少なくとも１つのコンピュータに、前記アップリンク送信について前記サービス提供中のデバイスから再送信通知を受信することを行わせるコードをさらに備える、請求項１６に記載のコンピュータプログラム。
【請求項１８】
前記再送信通知が制御チャネルを通じて受信される、請求項１７に記載のコンピュータプログラム。
【請求項１９】
前記ピアツーピア通信が、利用可能な送信電力の一部分を使用して送信される、請求項１６に記載のコンピュータプログラム。
【請求項２０】
前記サービス提供中のデバイスがアクセスポイントであり、前記ピアツーピアデバイスがコグニティブ無線である、請求項１６に記載のコンピュータプログラム。
【請求項２１】
ワイヤレスネットワークにおいてサービス提供中のデバイスにアップリンク送信を送信し、アップリンク再送信タイムスロット中に前記サービス提供中のデバイスに前記アップリンク送信を再送信する、送信機と、
前記アップリンク再送信タイムスロット中に前記サービス提供中のデバイスに前記アップリンク送信を送信するコグニティブなピアツーピアデバイスからピアツーピア通信を受信する、ピアツーピア通信コンポーネントと、を備える装置。
【請求項２２】
前記アップリンク送信について前記サービス提供中のデバイスから再送信通知を受信する受信機をさらに備える、請求項２１に記載の装置。
【請求項２３】
前記再送信通知が制御チャネルを通じて受信される、請求項２２に記載の装置。
【請求項２４】
前記ピアツーピア通信が、利用可能な送信電力の一部分を使用して送信される、請求項２１に記載の装置。
【請求項２５】
前記サービス提供中のデバイスがアクセスポイントであり、前記ピアツーピアデバイスがコグニティブ無線である、請求項２１に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年７月１１日に出願された「COGNITIVE PEER-TO-PEER COMMUNICATION」と題する仮出願第６１／０８０，０７１号の優先権を主張する。
【０００２】
以下の説明は、一般にワイヤレス通信に関し、より詳細には、デバイスを識別すること、およびデバイスとピアツーピア通信することに関する。
【背景技術】
【０００３】
ワイヤレス通信システムは、たとえば音声、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ  ｌｏｎｇ  ｔｅｒｍ  ｅｖｏｌｕｔｉｏｎ（ＬＴＥ）、ｕｌｔｒａ  ｍｏｂｉｌｅ  ｂｒｏａｄｂａｎｄ（ＵＭＢ）などの仕様、および／またはｅｖｏｌｕｔｉｏｎ  ｄａｔａ  ｏｐｔｉｍｉｚｅｄ（ＥＶ−ＤＯ）、その１つまたは複数の改訂仕様などのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上の伝送を介して１つまたは複数のアクセスポイント（たとえば、基地局）と通信することができる。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立できる。さらに、ピアツーピアワイヤレスネットワーク構成では、モバイルデバイスは他のモバイルデバイスと（および／またはアクセスポイントは他のアクセスポイントと）通信することができる。
【０００５】
ピアツーピア通信は複数の実装形態を有する。たとえば、セルラーネットワークにおいて、直接ピアツーピア通信を可能にするためにセルラーネットワーク周波数スペクトル中のリソースを予約することができる。さらに、ピアツーピア（または他の）デバイスが、旧来所与の技術のために予約されていた周波数スペクトルの２次ユーザになることによって、そのスペクトルを介して通信することができる、コグニティブ無線（cognitive radio）が展開されている。たとえば、所与のエリアにおける周波数変調（ＦＭ）無線は一般にＦＭ無線のために予約されたスペクトル全体を利用しないので、コグニティブ無線は、そのエリア中の利用されないリソースを介して通信することができる。この点について、コグニティブ無線は、スペクトルの１次ユーザ間の通信と干渉すべきではなく、したがって、他のコグニティブ無線と通信しようと試みる前に１次ユーザによって使用中のリソースを判断することができる。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでもなく、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、隣接ピアツーピア通信デバイスを識別することと、それらのデバイスとうまく機会を捉えて通信することとを可能にすることに関して、様々な態様を説明する。特に、コグニティブなピアツーピアデバイスは、アクセスポイントまたは他のワイヤレスネットワークエンティティからのダウンリンク割当てをリッスンし、ダウンリンク割当てを、アクティブ状態のデバイスからアクセスポイントまたは他のワイヤレスネットワークエンティティへのアップリンク送信に相関させることに少なくとも部分的に基づいて、他のアクティブ状態のデバイスを識別することができる。さらに、コグニティブなピアツーピアデバイスは、送信電力の一部分を利用して、識別されたデバイスと通信し、送信電力の残りの部分を使用して、（たとえば、以前にデバイスまたは他の受信したアップリンク送信を識別するために使用される）復号されたアップリンク送信をアクセスポイントに再送信することによって、セルラー周波数スペクトルを介して、識別されたデバイスと直接通信することができる。この点について、コグニティブなピアツーピアデバイスはさらに、他の隣接デバイスとピアツーピア通信しながら、再送信期間中に中継器として働くことができる。
【０００８】
関係する態様によれば、ワイヤレスネットワークにおいてサービス提供中のデバイスからダウンリンク割当てを受信することと、ダウンリンク割当て中に指定されたリソースを介して、ワイヤレスネットワークにおいてサービスされるデバイスから送信されたアップリンク送信を取得することとを含む方法を提供する。本方法は、アップリンク送信の１つまたは複数の態様に少なくとも部分的に基づいて、サービスされるデバイスを識別することをさらに含む。
【０００９】
別の態様はワイヤレス通信装置に関する。本ワイヤレス通信装置は、モバイルデバイスのためのアクセスポイントによって送信されたリソース割当てを取得し、リソース割当て中のリソースの一部分を介してモバイルデバイスからアクセスポイントへのアップリンク送信を受信するように構成された少なくとも１つのプロセッサを含むことができる。少なくとも１つのプロセッサは、アップリンク送信の１つまたは複数の態様に少なくとも部分的に基づいてモバイルデバイスを識別するようにさらに構成される。ワイヤレス通信装置はまた、少なくとも１つのプロセッサに結合されたメモリを備える。
【００１０】
さらに別の態様は、ワイヤレスネットワークにおいてサービス提供中のデバイスからダウンリンク割当てを受信するための手段と、ワイヤレスネットワークにおいてサービスされるデバイスから送信されたダウンリンク割当てに関係するアップリンク送信を受信するための手段とを含む装置に関する。本装置は、アップリンク送信に少なくとも部分的に基づいて、サービスされるデバイスを識別するための手段をさらに含む。
【００１１】
さらに別の態様は、少なくとも１つのコンピュータに、ワイヤレスネットワークにおいてサービス提供中のデバイスからダウンリンク割当てを受信させるためのコードを含むコンピュータ可読媒体を有することができるコンピュータプログラム製品に関する。本コンピュータ可読媒体はまた、少なくとも１つのコンピュータに、ダウンリンク割当て中に指定されたリソースを介して、ワイヤレスネットワークにおいてサービスされるデバイスから送信されたアップリンク送信を取得させるためのコードを備えることができる。その上、本コンピュータ可読媒体は、少なくとも１つのコンピュータに、アップリンク送信の１つまたは複数の態様に少なくとも部分的に基づいて、サービスされるデバイスを識別させるためのコードを備えることができる。
【００１２】
その上、追加の態様は装置に関する。本装置は、ワイヤレスネットワークにおいてサービス提供中のデバイスからダウンリンク割当てを受信するダウンリンク割当て検出構成要素と、ワイヤレスネットワークにおいてサービスされるデバイスから送信されたダウンリンク割当てに関係するアップリンク送信を受信するアップリンク送信分析構成要素とを含むことができる。本装置は、アップリンク送信に少なくとも部分的に基づいて、サービスされるデバイスを識別するデバイス識別構成要素をさらに含む。
【００１３】
他の態様によれば、ワイヤレスネットワークにおいて通信しているワイヤレスデバイスから送信を受信することを含む方法を提供する。本方法は、利用可能な送信電力の一部分を使用して、その送信をタイムスロットにおいて関係するアクセスポイントに再送信することと、利用可能な送信電力の残りの部分を使用して、タイムスロットにおいてピアツーピアデバイスと通信することとをさらに含む。
【００１４】
別の態様はワイヤレス通信装置に関する。本ワイヤレス通信装置は、モバイルデバイスからアップリンク送信を取得し、利用可能な送信電力の一部分を使用して、そのアップリンク送信を関係するアクセスポイントに再送信するように構成された少なくとも１つのプロセッサを含むことができる。少なくとも１つのプロセッサは、利用可能な送信電力の残りの部分を使用して、ピアツーピアデバイスにデータを送信するようにさらに構成される。ワイヤレス通信装置はまた、少なくとも１つのプロセッサに結合されたメモリを備える。
【００１５】
さらに別の態様は、ワイヤレスネットワークにおいて通信しているワイヤレスデバイスから送信を受信するための手段と、利用可能な送信電力の一部分を使用して、その送信をタイムスロットにおいて関係するサービス提供中のデバイスに再送信するための手段とを含む装置に関する。本装置は、利用可能な送信電力の残りの部分を使用して、タイムスロットにおいてピアツーピアデバイスと通信するための手段をさらに含む。
【００１６】
さらに別の態様は、少なくとも１つのコンピュータに、ワイヤレスネットワークにおいて通信しているワイヤレスデバイスから送信を受信させるためのコードを含むコンピュータ可読媒体を有することができるコンピュータプログラム製品に関する。本コンピュータ可読媒体はまた、少なくとも１つのコンピュータに、利用可能な送信電力の一部分を使用して、その送信をタイムスロットにおいて関係するアクセスポイントに再送信させるためのコードを備えることができる。その上、本コンピュータ可読媒体は、少なくとも１つのコンピュータに、利用可能な送信電力の残りの部分を使用して、タイムスロットにおいてピアツーピアデバイスと通信させるためのコードを備えることができる。
【００１７】
その上、追加の態様は装置に関する。本装置は、ワイヤレスネットワークにおいて通信しているワイヤレスデバイスから送信を受信するアップリンク送信分析構成要素と、利用可能な送信電力の一部分を使用して、その送信をタイムスロットにおいて関係するサービス提供中のデバイスに再送信するデバイス再送信構成要素とを含むことができる。本装置は、利用可能な送信電力の残りの部分を使用して、タイムスロットにおいてピアツーピアデバイスにデータを送信するピアツーピア通信構成要素をさらに含む。
【００１８】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１９】
【図１】本明細書に記載の様々な態様によるワイヤレス通信システムの図。
【図２】ワイヤレス通信環境内で採用するための例示的な通信装置の図。
【図３】ネットワークデバイスの識別およびコグニティブなピアツーピア通信を実行する例示的なワイヤレス通信システムの図。
【図４】コグニティブなピアツーピア通信を可能にする例示的なシステムの図。
【図５】ワイヤレスネットワークにおいて隣接デバイスを識別する例示的な方法の図。
【図６】ワイヤレスネットワークにおいてコグニティブなピアツーピア通信を提供する例示的な方法の図。
【図７】隣接ワイヤレスネットワークデバイスを識別する例示的なワイヤレスネットワークデバイスの図。
【図８】本明細書に記載の様々なシステムおよび方法とともに使用できる例示的なワイヤレスネットワーク環境の図。
【図９】ワイヤレスネットワークにおいてデバイスからの送信に基づいてデバイスを識別する例示的なシステムの図。
【図１０】周波数スペクトルの利用される部分を介してデバイスと通信する例示的なシステムの図。
【発明を実施するための形態】
【００２０】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００２１】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００２２】
さらに、本明細書では、有線接続された端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。さらに、ワイヤレス通信装置は、ワイヤレスネットワークにおいて通信する端末、アクセスポイント、または実質的に任意のデバイスを指すことができる。
【００２３】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２４】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ  などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００２５】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００２６】
次に図１を参照すると、本明細書で提示する様々な実施形態によるワイヤレス通信システム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナを利用することができる。基地局１０２は、さらに、送信機チェーンおよび受信機チェーンを含むことができ、送信機チェーンおよび受信機チェーンの各々は、当業者なら諒解するように、信号の送信および受信に関連付けられる複数の構成要素（たとえば、プロセッサ、変調器、マルチプレクサ、復調器、デマルチプレクサ、アンテナなど）を備えることができる。
【００２７】
基地局１０２は、モバイルデバイス１１６およびモバイルデバイス１２２など１つまたは複数のモバイルデバイスと通信することができるが、基地局１０２は、モバイルデバイス１１６および１２２と同様の実質的にいかなる数のモバイルデバイスとも通信することができることを諒解されたい。モバイルデバイス１１６および１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための他の適切なデバイスとすることができる。図示のように、モバイルデバイス１１６は、アンテナ１１２および１１４と通信しており、アンテナ１１２および１１４は、順方向リンク１１８を介して情報をモバイルデバイス１１６に送信し、逆方向リンク１２０を介してモバイルデバイス１１６から情報を受信する。さらに、モバイルデバイス１２２は、アンテナ１０４および１０６と通信しており、アンテナ１０４および１０６は、順方向リンク１２４を介して情報をモバイルデバイス１２２に送信し、逆方向リンク１２６を介してモバイルデバイス１２２から情報を受信する。周波数分割二重（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を使用することができる。さらに、時分割二重（ＴＤＤ）システムでは、順方向リンク１１８および逆方向リンク１２０は共通の周波数帯を利用し、順方向リンク１２４および逆方向リンク１２６は共通の周波数帯を利用することができる。
【００２８】
アンテナの各グループおよび／またはそれらが通信するように指定されたエリアを、基地局１０２のセクタと呼ぶことができる。たとえば、基地局１０２によってカバーされるエリアのセクタ中のモバイルデバイスに通信するようにアンテナグループを設計することができる。順方向リンク１１８および１２４を介した通信では、基地局１０２の送信アンテナは、モバイルデバイス１１６および１２２についての順方向リンク１１８および１２４の信号対雑音比を改善するためにビームフォーミングを利用することができる。さらに、基地局１０２が、関連するカバレージ中に不規則に散在するモバイルデバイス１１６および１２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス１１６および１２２は、ピアツーピアまたはアドホック技術を使用して互いに直接通信することができる（図示せず）。
【００２９】
一例によれば、システム１００は多入力多出力（ＭＩＭＯ）通信システムとすることができる。さらに、システム１００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの多重化通信技法でも利用することができる。さらに、チャネル上での複数のデバイスとの同時通信を可能にするために通信チャネルを直交させ、一例では、この点についてＯＦＤＭを利用することができる。したがって、チャネルは、ある時間区間にわたる周波数の複数の部分に分割できる。さらに、フレームは、集約された複数の時間区間の集合にわたる周波数の複数の部分として定義され、したがって、たとえば、フレームはいくつかのＯＦＤＭシンボルを備えることができる。基地局１０２は、様々なタイプのデータに対して作成できるチャネルを介してモバイルデバイス１１６および１２２と通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成できる。
【００３０】
一例では、コグニティブなピアツーピアデバイス１２８をも提供する。コグニティブなピアツーピアデバイス１２８は、モバイルデバイス１１６および／または他のデバイス（図示せず）と通信する別のモバイルデバイス、アクセスポイント、他のデバイスなどとすることができる。一例では、たとえば、コグニティブなピアツーピアデバイス１２８は、基地局１０２に関連して、またはその代替として通信サービスを提供する、家庭または企業において独立して電力供給されるデバイスとすることができる。さらに、コグニティブなピアツーピアデバイス１２８は隣接デバイスを識別することができる。一例では、コグニティブなピアツーピアデバイス１２８は、基地局１０２からモバイルデバイス１１６および１２２へのダウンリンク割当てを受信あるいはリッスンすることができる。コグニティブなピアツーピアデバイス１２８はまた、モバイルデバイス１１６および１２２を（たとえば、アップリンク送信内の情報に基づいて）識別するために、ダウンリンク割当て中のリソースを介してモバイルデバイス１１６および１２２からアップリンク送信を受信またはリッスンすることができる。コグニティブなピアツーピアデバイス１２８は地理的にモバイルデバイス１１６により近いことがある（たとえば、モバイルデバイス１１６がコグニティブなピアツーピアデバイス１２８における信号対雑音比（ＳＮＲ）を改善した）ので、基地局１０２は再送信を必要とすることがあるが、これは、たとえば、初期送信のためにモバイルデバイス１１６によって行うことができる。
【００３１】
別の例によれば、モバイルデバイス１１６は、再送信方式（ハイブリッド自動再送／要求（Ｈ−ＡＲＱ）など）を使用して基地局１０２と通信することができる。この例では、コグニティブなピアツーピアデバイス１２８は、説明したように、モバイルデバイス１１６を識別するため、および／または後続の送信を受信するために、モバイルデバイス１１６から基地局１０２へのアップリンク送信を受信することができる。再送信が必要とされる（たとえば、基地局１０２が送信を適切に受信しなかったことを基地局１０２が示す）場合、モバイルデバイス１１６は基地局１０２に再送信することができる。さらに、コグニティブなピアツーピアデバイス１２８はまた、モバイルデバイス１１６に代わって再送信し、モバイルデバイス１１６からの信号を増幅する中継器として働くことができる。一例では、コグニティブなピアツーピアデバイス１２８は、基地局に再送信するために利用可能な送信電力の一部分を利用することができる。この例では、コグニティブなピアツーピアデバイス１２８はまた、モバイルデバイス１１６または別のピアツーピアデバイス（図示せず）とのピアツーピア通信を実行するために利用可能な送信電力の残りの部分を利用することができる。したがって、コグニティブなピアツーピアデバイス１２８からのピアツーピア通信は、基地局１０２とモバイルデバイス１１６との通信と干渉することがあるが、説明したように、コグニティブなピアツーピアデバイス１２８は、モバイルデバイス１１６再送信信号を基地局１０２にさらに電力増幅することによって干渉を緩和することができる。
【００３２】
さらに、図示しないが、コグニティブなピアツーピアデバイス１２８は、基地局１０２からのダウンリンク送信／再送信のために同様の機能を提供することができる。その上、コグニティブなピアツーピアデバイス１２８は、同様の機能を提供する既存のピアツーピア通信のために採用でき、実際、コグニティブなピアツーピアデバイス１２８は、実質的に任意のワイヤレスネットワーク構成において、デバイスを識別し、再送信中にコグニティブ送信を行うことができる。デバイスが識別されると、コグニティブなピアツーピアデバイス１２８は、一例では、識別情報をインターフェースまたは異種ネットワーク構成要素に提供することができる。
【００３３】
図２を参照すると、ワイヤレス通信環境内で使用するための通信装置２００が示されている。通信装置２００は、ワイヤレスネットワーク中の、モバイルデバイス、アクセスポイント、その一部分、モバイルデバイス、アクセスポイントなどの中に存在することができるコグニティブ無線、または実質的に任意の通信装置とすることができる。通信装置２００は、アクセスポイント（図示せず）とモバイルデバイス（図示せず）または実質的に任意の通信デバイスとの間で送信できるダウンリンク割当てを受信することができるダウンリンク割当て検出構成要素２０２と、ダウンリンク割当て中のリソースを介してアップリンク送信を取得および評価することができるアップリンク送信分析構成要素２０４と、アップリンク送信に少なくとも部分的に基づいてデバイス識別情報を判断することができるデバイス識別構成要素２０６とを含む。
【００３４】
一例によれば、ダウンリンク割当て検出構成要素２０２は、セルラーネットワーク帯域など、１つまたは複数の１次ユーザによって利用される周波数帯域を監視することができる。ダウンリンク割当て検出構成要素２０２は、たとえば、その帯域を介して、１つのデバイス（たとえば、サービス提供中のデバイス）によって別のデバイス（たとえば、サービスされるデバイス）にリソースを許可するために送信できるダウンリンク割当てを受信することができる。ダウンリンク割当て検出構成要素２０２は、許可されたリソースを判断するためにダウンリンク割当てを復号することができる。その後、アップリンク送信分析構成要素２０４は、ダウンリンク割当て中の許可されたリソースを介してアップリンク送信を受信し、デバイスに関する情報を判断するためにアップリンク送信を評価することができる。さらに、デバイス識別構成要素２０６は、アップリンク送信のうちの１つまたは複数の中の識別子に基づいてデバイスの識別情報を見分けることができる。
【００３５】
別の例では、デバイス識別構成要素２０６は、ホッピングパターン、スクランブリング・コードなど、アップリンク送信の１つまたは複数の態様に基づいてデバイスを識別することができる。いずれの場合も、デバイスが識別されると、通信装置２００は、デバイスの識別情報に基づいて、デバイスのロケーションをデバイス識別子に関連付ける、デバイスと通信する、デバイスに代わっておよび／またはデバイスに関連してアップリンク送信のうちの１つまたは複数を再送信する際の中継器として働くなど、他の機能を実行することができる。一例では、デバイス識別構成要素２０６は、デバイス識別情報をインターフェースまたは他のネットワーク構成要素（たとえば、異種通信装置、上流構成要素、モバイルデバイス、アクセスポイントなど）に送信することができる。
【００３６】
次に図３を参照すると、ワイヤレスネットワーク中のデバイスを識別し、識別されたデバイスとピアツーピア通信することを可能にするワイヤレス通信システム３００が示されている。コグニティブ無線３０２は、モバイルデバイス、アクセスポイントなどの内部に存在する、ワイヤレスネットワーク中の独立したデバイス（たとえば、家庭またはオフィスにおいて電力供給された端末）とすることができる。ワイヤレスデバイス３０４および３０６は、（独立に電力供給されるデバイスだけでなく、たとえば、モデムをも含む）モバイルデバイス、基地局、および／またはその一部、あるいは実質的に任意のワイヤレスデバイスとすることができる。アクセスポイント３０８は、基地局、フェムトセルアクセスポイント、ピコセルアクセスポイント、中継ノードなどとすることができる。その上、システム３００は、ＭＩＭＯシステムとすることができ、および／または１つまたは複数のワイヤレスネットワークシステム仕様（たとえば、ＥＶ−ＤＯ、３ＧＰＰ、３ＧＰＰ２、３ＧＰＰ  ＬＴＥ、ＷｉＭＡＸなど）に準拠することができ、コグニティブ無線３０２、ワイヤレスデバイス３０４および３０６、および／またはアクセスポイント３０８の間の通信を可能にする追加の構成要素を備えることができる。
【００３７】
コグニティブ無線３０２は、デバイスに関係する１つまたは複数のダウンリンク割当てを受信するダウンリンク割当て検出構成要素と、ダウンリンク割当てに関係するリソースを介してデバイスから送信をリッスンおよび受信するアップリンク送信分析構成要素２０４と、アップリンク送信に少なくとも部分的に基づいてデバイスを識別することができるデバイス識別構成要素２０６と、中継機能を提供するためにサービス提供中のデバイスにアップリンク送信を再送信するデバイス再送信構成要素と、データを１つまたは複数の追加のデバイスに送信し、そのようなデバイスからデータを受信するピアツーピア通信構成要素とを含むことができる。さらに、ワイヤレスデバイス３０４および３０６は、互いにおよび／またはコグニティブ無線３０２などの他のピアツーピアデバイスとの間で送信および受信することができるピアツーピア通信構成要素３１４を含むことができる。
【００３８】
一例によれば、ワイヤレスデバイス３０４は、ワイヤレスネットワークへのアクセスを受信するためにアクセスポイント３０８と通信することができる。この点について、アクセスポイント３０８は、ワイヤレスデバイス３０４から通信を受信し、通信をワイヤレスデバイス３０４に送信することができるリソースを、ワイヤレスデバイス３０４に割り当てることができる。ダウンリンク割当て検出構成要素２０２は、アップリンク送信がいつ行われることになっているかを検出するために、アクセスポイント３０８によってワイヤレスデバイス３０４に送信されたリソース割当てを受信することができる。その後、説明したように、アップリンク送信分析構成要素２０４は、割り当てられたリソースを介したワイヤレスデバイス３０４からアクセスポイント３０８への送信を取得および復号することができる。デバイス識別構成要素２０６は、送信、ホッピングまたはスクランブリング・パターンなどに記憶された識別子など、アップリンク送信の１つまたは複数の態様に少なくとも部分的に基づいて、ワイヤレスデバイス３０４を識別するパラメータを決定することができる。
【００３９】
さらに、コグニティブ無線３０２は、デバイスとのピアツーピア通信を実行するためにデバイス識別情報（およびアップリンク送信）を利用することができる。たとえば、デバイス再送信構成要素３１０は、アクセスポイント３０８が送信の受信を否定応答する場合、ワイヤレスデバイス３０４とともにアクセスポイント３０８にアップリンク送信を再送信するために、コグニティブ無線３０２において一部の送信電力を利用することができる。残りの送信電力を使用して、ピアツーピア通信構成要素３１２は、ピアツーピア通信をワイヤレスデバイス３０４および／またはワイヤレスデバイス３０６に送信することができる。ワイヤレスデバイス３０４および／またはワイヤレスデバイス３０６におけるピアツーピア通信構成要素３１４はピアツーピア通信を受信することができる。デバイス再送信構成要素３１０が、アクセスポイント３０８から再送信要求または通知（たとえば、アクセスポイント３０８とワイヤレスデバイス３０４との間の制御チャネルを介して受信したＡＲＱ否定応答など）をさらに受信するアップリンク送信構成要素２０４または他の構成要素に基づいて、再送信タイムスロットにおいてアップリンク送信を再送信する旨を決定することができることを諒解されたい。
【００４０】
さらに、ワイヤレスデバイス３０４および／またはワイヤレスデバイス３０６のピアツーピア通信構成要素３１４は、たとえば、デバイス再送信構成要素３１０もワイヤレスデバイス３０４および／または３０６のためにアクセスポイント３０８に再送信していることを知っている場合、アクセスポイント３０８への再送信とともに一部の電力において送信することができるように、同様の点についてピアツーピアデータをコグニティブ無線３０２に送信することができる。その上、別の例では、ワイヤレスデバイス３０４および／または３０６は、送信された識別信号に基づいてコグニティブ無線３０２を検出することができる。この例では、ワイヤレスデバイス３０４および／または３０６は、たとえばその（１つまたは複数の）リソース割当てと同様に、その存在をコグニティブ無線３０２に示すことができる。同様に、アップリンク送信分析構成要素２０４はアップリンク送信を受信することができ、デバイス再送信構成要素３１０はアップリンク送信を再送信する際に中継器として働くことができ、前述のように、ピアツーピア通信構成要素３１２はワイヤレスデバイス３０４および／または３０６との間のピアツーピア通信を送信および／または受信する。
【００４１】
また、一例では、コグニティブ無線３０２がワイヤレスデバイス３０４および／または３０６に十分に近接している場合、アップリンク送信分析構成要素２０４は、送信が完了する前に送信中のメッセージを復号することができる。この例では、デバイス再送信構成要素３１０は、ワイヤレスデバイス３０４がその送信を完了するまで、アクセスポイント３０８にメッセージを直接送信することによって、元の送信をさらに電力増幅することができる。さらに、ワイヤレスデバイス３０４および／または３０６が、たとえば、上述のように、デバイス検出および／またはピアツーピア送信を可能にし、その結果、他の信号の再送信と分離するようなコグニティブ無線３０２の構成要素を含むことができることを諒解されたい。
【００４２】
説明したように、コグニティブ無線３０２は、ワイヤレスデバイス３０４および／または３０６とアクセスポイント３０８との間の通信と干渉することがあるが、送信電力の一部分を使用して中継器として働くことによって干渉を埋め合わせる。一例では、ワイヤレスデバイス３０４およびアクセスポイント３０８は、周波数スペクトルを介した１次コミュニケータとすることができる。この点について、コグニティブ無線３０２ならびにワイヤレスデバイス３０４および／または３０６は、周波数スペクトルを介して通信するために２次とすることができる。デバイス再送信構成要素３１０およびピアツーピア通信構成要素３１２は、一例では、電力の一部分を使用して再送信を送信し、残りの部分を使用してピアツーピア通信を送信するために、線形重畳符号化ストラテジを利用することができる。
【００４３】
図４を参照すると、ワイヤレスネットワークにおいてコグニティブなピアツーピア通信を可能にする例示的なシステム４００が示されている。信号４１０によって示されるように、１次受信機４０４と通信する１次無線４０２が示されている。さらに、信号４１２によって示されるように、２次受信機４０８と通信するコグニティブ無線４０６が与えられる。説明したように、コグニティブ無線４０６の送信は、干渉４１４によって示されるように、１次受信機４０４において受信した送信（たとえば、１次無線４０２からの送信）と干渉する可能性がある。さらに、２次受信機４０８は、干渉４１６によって示されるように、１次無線４０２から干渉を受ける可能性がある。４１４および／または４１６におけるこの干渉を緩和するために、説明したように、コグニティブ無線４０６は、１次無線４０２からの送信を１次受信機４０４に中継しながら、２次受信機４０８に送信することができる。そのような中継を可能にするために、説明したように、コグニティブ無線４０６は、１次受信機４０４からのダウンリンクリソース割当てを検出し、１次無線４０２によってリソース割当てを介して１次受信機４０４に送信されたアップリンク送信を評価することによって、１次無線４０２を識別することができる。さらに、説明したように、１次無線４０２と２次受信機４０８とは同じデバイスとすることができることを諒解されたい。
【００４４】
一例によれば、ピアツーピア通信を送信するため、および／またはコグニティブ無線４０６において１次無線４０２からの信号を中継するために利用される電力を計算することができる。１次受信機４０４および２次受信機４０８には、多重送信によって生じた付加雑音が存在する可能性がある。１次受信機４０４では、これはｎ個のシンボル時間のためのベクトル
【数１】
0005805716.tif 000002
【００４５】
として示すことができ、式中、
【数２】
0005805716.tif 000003
【００４６】
は１次受信機４０４における付加雑音レベルを示す。同様に、２次受信機４０８における付加雑音はベクトル
【数３】
0005805716.tif 000004
【００４７】
として示される。付加雑音は、いずれの場合においても、一例では、ｎ個のシンボル時間にわたって独立にかつ均等に分布すると仮定することができる。さらに、１次無線４０２は、１次受信機４０４を対象とするメッセージ
【数４】
0005805716.tif 000005
【００４８】
を有することができ、式中、Ｒpは１次無線４０２が送信しているレートである。コグニティブ無線４０６は、さらに中継器として働くときに、メッセージｍpならびに２次受信機４０８を対象とするメッセージ
【数５】
0005805716.tif 000006
【００４９】
を有することができる（式中、Ｒcはコグニティブ無線４０６が送信しているレートである）。１次無線４０２およびコグニティブ無線４０６によって送信される信号は、それぞれ信号ベクトル
【数６】
0005805716.tif 000007
【００５０】
および
【数７】
0005805716.tif 000008
【００５１】
として示すことができる。
【００５２】
信号によって送信される平均電力は、それぞれ
【数８】
0005805716.tif 000009
【００５３】
および
【数９】
0005805716.tif 000010
【００５４】
とした場合、次式のように制約することができる。
【数１０】
0005805716.tif 000011
【００５５】
さらに、１次受信機４０４および２次受信機４０８において受信した信号のＳＮＲは、それぞれ
【数１１】
0005805716.tif 000012
【００５６】
および
【数１２】
0005805716.tif 000013
【００５７】
として表すことができ、式中、ｐは信号４１０の品質、ｃは信号４１２の品質、Ｎpは信号４１０の雑音分散、およびＮcは信号４１２の雑音分散である。その上、１次受信機において受信される干渉４１４は、ｆが干渉４１４の品質である場合、
【数１３】
0005805716.tif 000014
【００５８】
と示すことができ、２次受信機４０８における干渉４１６は、ｇが干渉４１６の品質である場合、
【数１４】
0005805716.tif 000015
【００５９】
と示すことができる。
【００６０】
この点について、ピアツーピア信号を送信するために１次無線４０２および別の部分からのアップリンク送信を中継するための送信電力の一部分を使用する機能を指して言う、コグニティブ無線４０６のための「線形重畳符号化ストラテジ」は、説明したように、次式のベクトルとして表すことができ、
【数１５】
0005805716.tif 000016
【００６１】
上式で、
【数１６】
0005805716.tif 000017
【００６２】
は、コグニティブ受信機のためのメッセージを含む信号ベクトルであり、αは調節可能な定数である。２次受信機４０８におけるガウス雑音は、電力Ｎs／｜ｃ｜2を有する。さらに、時間サンプルｍにおける１次受信機４０４において受信される離散時間ベースバンド信号は、次式のように表すことができ、
【数１７】
0005805716.tif 000018
【００６３】
上式で、
【数１８】
0005805716.tif 000019
【００６４】
は総合雑音であり、ｌcは、コグニティブ無線４０６がそれ自体の信号を送信する前に、１次無線４０２からコードワードをリッスンし、復号する間に発生した遅延を表す。この式は、本質的に、１次送信信号４１０のための時不変２タップシンボル間干渉（ＩＳＩ）チャネルを記述しており、したがって、（１次システムが直接シーケンススペクトラム拡散を使用する場合）レイキ受信機、またはＯＦＤＭなどの送信受信アーキテクチャを利用して、２倍のダイバーシティ利得と１次受信機４０４における電力利得
【数１９】
0005805716.tif 000020
【００６５】
の両方を抽出することができる。α∈［０，１］を仮定すれば、そのような方式を使用して１次無線４０２およびコグニティブ無線４０６によって達成可能なレートを次式によって与えることができる。
【数２０】
0005805716.tif 000021
【００６６】
したがって、１次受信機４０４への干渉の発生を回避するために、以下の式を満たす必要がある。
【数２１】
0005805716.tif 000022
【００６７】
コグニティブ無線４０６がパラメータαを次式
【数２２】
0005805716.tif 000023
【００６８】
のように調整する場合、この条件が満たされ、したがって
【数２３】
0005805716.tif 000024
【００６９】
となる。上式は、１次システムが高いＳＮＲで動作している場合、コグニティブ無線４０６は１次システムと干渉すべきでない（たとえば、αは１に近くなければならない）ことを確証する。
【００７０】
上式に従って、最適なαを設計するために、コグニティブ無線４０６は、１次受信機４０４における１次送信の受信ＳＮＲ、｜Ｐ｜2Ｐp／Ｎpを知る必要がある。１次システムが加法性白色ガウス雑音（ＡＷＧＮ）チャネル符号を達成する容量を使用し、かつコグニティブ無線４０６が（たとえば、構成、仕様などを通して）これを知っている場合、コグニティブ無線４０６は、１次ユーザが通信しているレートＲpを知っているので、この受信ＳＮＲの推定値を計算することができる。この推定値は、単に
【数２４】
0005805716.tif 000025
【００７１】
によって与えることができる。したがって、説明したことの直接の利益は、１次受信機４０４がパラメータｆおよびｐをフィードバックする必要がなく、一例では、コグニティブ無線が完全に自律的に実行することができることである。
【００７２】
コグニティブ無線４０６が｜ｆ｜に関する情報を有せず、場合によっては、｜Ｐ｜2Ｐp／Ｎpを取得することができない場合、コグニティブ無線４０６は、その電力Ｐcを０からゆっくりランプアップし、同時に１次受信機４０４からのＡＲＱ制御信号をリッスンしながらαを１から低下させることによって、１次スペクトルに入ることができる。この信号が検出されると、一例では、１次受信機４０４が送信ＡＲＱを停止するまで、コグニティブ無線４０６は、Ｐcをわずかに低下させるか、またはαを増加させることができる。
【００７３】
図５〜図６を参照すると、ワイヤレスネットワークデバイスを識別し、そのデバイスとのコグニティブなピアツーピア通信を実行することに関係する方法が示されている。説明を簡潔にする目的で、方法を一連の動作として図示し説明するが、いくつかの動作は、１つまたは複数の態様によれば、本明細書で図示し説明する順序とは異なる順序で、および／または他の動作と同時並行に実行され得るので、方法は動作の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての動作が必要とされるわけではない。
【００７４】
図５を参照すると、ワイヤレス通信システムにおいて隣接デバイスを識別することを可能にする例示的な方法５００が示されている。５０２において、アクセスポイントからダウンリンク割当てを受信する。説明したように、この割当ては、関連するモバイルデバイスへの送信において無線で取得できる。ダウンリンク割当ては、モバイルデバイスがアクセスポイントと通信するために利用することができるリソースのセットを備えることができる。５０４において、割当て中に指定されたリソースを介してモバイルデバイスから送信されたアップリンク送信を取得する。これはワイヤレスネットワーク構成における信号とすることができる。５０６において、アップリンク送信の１つまたは複数の態様に少なくとも部分的に基づいてモバイルデバイスを識別する。したがって、たとえば、信号を復号し、送信中に含まれる識別子を判断する。別の例では、説明したように、モバイルデバイスを識別するために、信号のホッピングまたはスクランブリングのパターンなど、他の態様を利用することができる。
【００７５】
図６を参照すると、占有周波数スペクトルにおいてコグニティブなピアツーピア通信を可能にする例示的な方法６００が示されている。６０２において、モバイルデバイスから送信を受信する。たとえば、関連するアクセスポイントによってモバイルデバイスに許可されたリソースから送信を取得する。さらに、モバイルデバイスは、アクセスポイントにおいて適切に受信されなかった送信を再送信することができるように、Ｈ−ＡＲＱなどの再送信技術を使用してアクセスポイントと通信する。６０４において、利用可能な電力の一部分を使用して、モバイルデバイスから受信した送信を要求元アクセスポイントに再送信する。再送信は、説明したように、モバイルデバイスからの再送信と同時並行に行い、モバイルデバイスからの信号を電力増幅することができる。この点について、アクセスポイントから否定応答インジケータを受信している可能性がある。６０６において、利用可能な電力の残りの部分を使用してピアツーピアデバイスに送信する。したがって、モバイルデバイスとアクセスポイントとの通信が干渉されるが、干渉は、モバイルデバイスからの送信を中継することによって緩和される。一例では、説明したように、ピアツーピアデバイスはモバイルデバイスとすることができる。
【００７６】
本明細書で説明する１つまたは複数の態様によれば、ワイヤレスデバイスへのアップリンク送信を相関させること、再送信および／またはピアツーピア通信する際に利用する電力を決定することなどに関して、推論を行うことができることを諒解されたい。本明細書で使用する「推論する」または「推論」という用語は、概して、事象および／またはデータを介して捕捉された観察の集合から、システム、環境、および／またはユーザの状態について推理する、またはその状態を推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータの集合からより高いレベルの事象を構成するために採用される技法を指すこともある。そのような推論から、事象が時間的に密接な近さで相関するか否かにかかわらず、および事象およびデータが１つまたは複数の事象およびデータの発生源に由来するかどうかにかかわらず、観測された事象および／または記憶された事象データの集合から新しい事象または動作が構成される。
【００７７】
図７は、ワイヤレスネットワークにおいて他のデバイスを識別することを可能にするワイヤレスネットワークデバイス７００の図である。ワイヤレスネットワークデバイス７００は、ワイヤレス周波数スペクトルを介して通信するコグニティブ無線、モバイルデバイス、固定通信デバイス、アクセスポイント、および／または実質的に任意のデバイスとすることができる。ワイヤレスネットワークデバイス７００は、たとえば、受信アンテナ（図示せず）から１つまたは複数のキャリア上で１つまたは複数の信号を受信し、受信信号に対して典型的な動作（たとえば、フィルタ処理、増幅、ダウンコンバートなど）を実行し、調整された信号をデジタル化してサンプルを取得する受信機７０２を備える。受信機７０２は、受信されたシンボルを復調し、チャネル推定のためにプロセッサ７０６に供給する復調器７０４を備えることができる。プロセッサ７０６は、受信機７０２によって受信された情報の分析および／または送信機７１８による送信のための情報の生成に専用のプロセッサ、ワイヤレスネットワークデバイス７００の１つまたは複数の構成要素を制御するプロセッサ、および／または受信機７０２によって受信された情報の分析、送信機７１８による送信のための情報の生成、ならびにワイヤレスネットワークデバイス７００の１つまたは複数の構成要素の制御の両方を行うプロセッサとすることができる。
【００７８】
ワイヤレスネットワークデバイス７００は、さらに、メモリ７０８を備えることができ、メモリ７０８は、プロセッサ７０６に動作可能に結合され、送信すべきデータ、受信されたデータ、使用可能なチャネルに関係する情報、分析された信号および／または干渉強度に関連するデータ、割り当てられたチャネル、電力、レートなどに関係する情報、ならびにチャネルを推定し、そのチャネルを介して通信するための他の適切な情報を記憶することができる。メモリ７０８は、（たとえば、パフォーマンスベース、容量ベースなどの）チャネルの推定および／または利用に関連するプロトコルおよび／またはアルゴリズムをさらに記憶することができる。
【００７９】
本明細書で説明するデータストア（たとえば、メモリ７０８）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ７０８は、これらおよび他の適切なタイプのメモリを、これらに限定されることなく、備えるものとする。
【００８０】
プロセッサ７０６は、説明したように、さらに、異種ワイヤレスネットワークデバイス（図示せず）を対象とするリソース割当てを受信することができる割当て検出構成要素７１０、対応する異種ワイヤレスネットワークデバイスを判断するために、リソースを介してアクセスポイントに送信されたメッセージを評価することができる送信分析構成要素７１２、およびリソースを介した送信の１つまたは複数の態様に少なくとも部分的に基づいて異種ワイヤレスネットワークデバイスを識別することができるデバイス識別構成要素７１４に動作可能に結合することができる。さらに、ワイヤレスネットワークデバイス７００は、送信機７１８において利用可能な電力の一部分を使用して異種ワイヤレスネットワークデバイスまたは別のピアツーピアデバイス（図示せず）とピアツーピア通信することができる。同時に、説明したように、中継器として働く異種ワイヤレスネットワークデバイスに関連して、アクセスポイントが再送信を所望した場合、送信機７１８は、評価されたメッセージを再送信することができる。プロセッサ７０６とは別個のものとして図示されているが、復調器７０４、割当て検出構成要素７１０、送信分析構成要素７１２、デバイス識別構成要素７１４、および／または変調器７１６は、プロセッサ７０６または複数のプロセッサ（図示せず）の一部とすることができることを諒解されたい。
【００８１】
図８に、例示的なワイヤレス通信システム８００を示す。ワイヤレス通信システム８００には、簡潔のために、１つの基地局８１０と、１つのモバイルデバイス８５０とを示してある。ただし、システム８００は２つ以上の基地局および／または２つ以上のモバイルデバイスを含むことができ、追加の基地局および／またはモバイルデバイスは、以下で説明する例示的な基地局８１０およびモバイルデバイス８５０と実質的に同様または異なるものとすることができることを諒解されたい。さらに、基地局８１０および／またはモバイルデバイス８５０は、それらの間のワイヤレス通信を可能にするために、本明細書で説明するシステム（図１〜図４および図７）および／または方法（図５〜図６）を使用することができることを諒解されたい。
【００８２】
基地局８１０で、いくつかのデータストリームのトラフィックデータがデータソース８１２から送信（ＴＸ）データプロセッサ８１４に供給される。一例によれば、各データストリームは、それぞれのアンテナを介して送信できる。ＴＸデータプロセッサ８１４は、符号化データを与えるために、トラフィックデータストリーム用に選択された特定の符号化方式に基づいて、そのデータストリームをフォーマット化し、符号化し、インタリーブする。
【００８３】
各データストリームの符号化データは、直交周波数分割多重（ＯＦＤＭ）技法を使用してパイロットデータと多重化できる。追加または代替として、パイロットシンボルは、周波数分割多重化（ＦＤＭ）、時分割多重化（ＴＤＭ）、または符号分割多重化（ＣＤＭ）できる。パイロットデータは、一般に、知られている方法で処理される知られているデータパターンであり、チャネル応答を推定するためにモバイルデバイス８５０において使用できる。各データストリームの多重化されたパイロットおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ８３０によって実行または与えられる命令によって判断できる。
【００８４】
データストリームの変調シンボルはＴＸ  ＭＩＭＯプロセッサ８２０に供給され、ＴＸ  ＭＩＭＯプロセッサ８２０は、（たとえば、ＯＦＤＭ用に）変調シンボルをさらに処理することができる。次いで、ＴＸ  ＭＩＭＯプロセッサ８２０は、ＮT個の変調シンボルストリームをＮT個の送信機（ＴＭＴＲ）８２２ａ〜８２２ｔに供給する。様々な態様では、ＴＸ  ＭＩＭＯプロセッサ８２０は、データストリームのシンボルと、シンボルの送信元のアンテナとにビームフォーミング重みを適用する。
【００８５】
各送信機８２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機８２２ａ〜８２２ｔからのＮT個の変調信号は、それぞれＮT個のアンテナ８２４ａ〜８２４ｔから送信される。
【００８６】
モバイルデバイス８５０では、送信された変調信号はＮR個のアンテナ８５２ａ〜８５２ｒによって受信され、各アンテナ８５２からの受信信号は、それぞれの受信機（ＲＣＶＲ）８５４ａ〜８５４ｒに供給される。各受信機８５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを与える。
【００８７】
ＲＸデータプロセッサ８６０は、特定の受信機処理技法に基づいてＮR個の受信機８５４からＮR個の受信シンボルストリームを受信し、処理して、ＮT個の「検出」シンボルストリームを与えることができる。ＲＸデータプロセッサ８６０は、各検出シンボルストリームを復調し、デインタリーブし、復号して、データストリームのトラフィックデータを復元することができる。ＲＸデータプロセッサ８６０による処理は、基地局８１０においてＴＸ  ＭＩＭＯプロセッサ８２０およびＴＸデータプロセッサ８１４によって実行される処理を補足するものである。
【００８８】
プロセッサ８７０は、上述のように、どのプリコーディング行列を利用すべきかを周期的に判断することができる。さらに、プロセッサ８７０は、行列インデックス部分とランク値部分とを備える逆方向リンクメッセージを作成することができる。
【００８９】
逆方向リンクメッセージは、通信リンクおよび／または受信データストリームに関する様々なタイプの情報を備えることができる。逆方向リンクメッセージは、データソース８３６からいくつかのデータストリームのトラフィックデータをも受信するＴＸデータプロセッサ８３８によって処理され、変調器８８０によって変調され、送信機８５４ａ〜８５４ｒによって調整され、基地局８１０に戻される。
【００９０】
基地局８１０において、モバイルデバイス８５０からの変調信号は、アンテナ８２４によって受信され、受信機８２２によって調整され、復調器８４０によって復調され、ＲＸデータプロセッサ８４２によって処理されて、モバイルデバイス８５０によって送信された逆方向リンクメッセージが抽出される。さらに、プロセッサ８３０は、抽出されたメッセージを処理して、ビームフォーミング重みを判断するためにどのプリコーディング行列を使用すべきかを判断することができる。
【００９１】
プロセッサ８３０および８７０は、それぞれ基地局８１０およびモバイルデバイス８５０における動作を指示（たとえば、制御、調整、管理など）することができる。それぞれのプロセッサ８３０および８７０は、プログラムコードおよびデータを記憶するメモリ８３２および８７２に関連付けできる。プロセッサ８３０および８７０はまた、それぞれ、アップリンクとダウンリンクとに関して周波数推定値とインパルス応答推定値とを導き出すために計算を実行することができる。
【００９２】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。
【００９３】
態様は、ソフトウェア、ファームウェア、ミドルウェアまたはマイクロコード、プログラムコードまたはコードセグメントで実装した場合、記憶構成要素などの機械可読媒体に記憶できる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合できる。情報、引数、パラメータ、データなどは、メモリ共有、メッセージパッシング、トークンパッシング、ネットワーク送信などを含む、適切な手段を使用してパス、フォワーディング、または送信することができる。
【００９４】
ソフトウェア実装の場合、本明細書で説明する技法は、本明細書で説明する機能を実行するモジュール（たとえば、プロシージャ、関数など）を用いて実装できる。ソフトウェアコードは、メモリユニットに記憶し、プロセッサによって実行することができる。メモリユニットは、プロセッサの内部またはプロセッサの外部に実装でき、その場合、当技術分野で知られているように様々な手段によってプロセッサに通信可能に結合できる。
【００９５】
図９を参照すると、ワイヤレスネットワーク中のデバイスを識別し、周波数スペクトルの利用される部分を介してそのデバイスとコグニティブに通信することを可能にするシステム９００が示されている。たとえば、システム９００は、少なくとも部分的に基地局、モバイルデバイス、コグニティブ無線、固定デバイスなどの内部に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム９００は、連携して動作することができる電気構成要素の論理グルーピング９０２を含む。たとえば、論理グルーピング９０２は、ワイヤレスネットワーク中のサービス提供中のデバイスからダウンリンク割当てを受信するための電気構成要素９０４を含むことができる。たとえば、サービス提供中のデバイスは、ワイヤレスネットワークの周波数スペクトルを介してサービスされるデバイスと通信することを可能にするために、サービスされるデバイスに割当てを送信することができる。さらに、論理グルーピング９０２は、ワイヤレスネットワークにおいてサービスされるデバイスから送信されたダウンリンク割当てに関係するアップリンク送信を受信するための電気構成要素９０６を含むことができる。この送信は、一例では、割り当てられたリソースを介して送信できる。
【００９６】
その上、論理グルーピング９０２は、アップリンク送信に少なくとも部分的に基づいて、サービスされるデバイスを識別するための電気構成要素９０８を含むことができる。説明したように、デバイスは、送信中の識別子、送信のために利用されるホッピングまたはスクランブリングパターン、および／または送信の１つまたは複数の追加あるいは代替の態様によって識別できる。さらに、論理グルーピング９０２は、サービス提供中のデバイスから再送信通知を受信すると、再送信期間中にアップリンク送信をサービス提供中のデバイスに再送信するための電気構成要素９１０を含むことができる。説明したように、サービス提供中のデバイスとサービスされるデバイスとの間の制御チャネルをリッスンすることによって、再送信通知を受信することができる。また、論理グルーピング９０２は、再送信期間中に送信電力を電気構成要素９１０と分割してピアツーピアデバイスと通信するための電気構成要素９１２をさらに含むことができる。したがって、ピアツーピア通信はサービス提供中のデバイスとサービスされるデバイスとの通信と干渉する可能性があるが、システム９００は、サービスされるデバイスからの再送信をさらに中継することによって干渉を緩和する。さらに、システム９００は、電気構成要素９０４、９０６、９０８、９１０、および９１２に関連付けられた機能を実行するための命令を保持するメモリ９１４を含むことができる。メモリ９１４の外部にあるものとして図示されているが、１つまたは複数の電気構成要素９０４、９０６、９０８、９１０、および９１２はメモリ９１４の内部に存在することができることを理解されたい。
【００９７】
図１０を参照すると、ワイヤレスネットワークにおいて、利用されるリソースを介してデバイスとコグニティブに通信するシステム１０００が示されている。たとえば、システム１０００は、少なくとも部分的に基地局、モバイルデバイス、コグニティブ無線、固定デバイスなどの内部に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気構成要素の論理グルーピング１００２を含む。たとえば、論理グルーピング１００２は、ワイヤレスネットワークにおいて通信しているワイヤレスデバイスから送信を受信するための電気構成要素１００４を含むことができる。さらに、論理グルーピング１００２は、送信電力の一部分を使用して、その送信をタイムスロットにおいて関連するサービス提供中のデバイスに再送信するための電気構成要素１００６を含むことができる。
【００９８】
その上、論理グルーピング１００２は、送信電力の残りの部分を使用して、タイムスロットにおいてピアツーピアデバイスと通信するための電気構成要素１００８を含むことができる。したがって、説明したように、ピアツーピア通信からの干渉を緩和するためにワイヤレスデバイスからの信号を再送信しながらピアツーピア通信を行うことができる。一例では、ピアツーピアデバイスとワイヤレスデバイスとは同じデバイスとすることができる。さらに、システム１０００は、電気構成要素１００４、１００６、および１００８に関連付けられた機能を実行するための命令を保持するメモリ１０１０を含むことができる。メモリ１０１０の外部にあるものとして示されているが、電気構成要素１００４、１００６、および１００８の１つまたは複数は、メモリ１０１０の内部に存在することができることを理解されたい。
【００９９】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【０１００】
さらに、本明細書で開示した態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態の記憶媒体中に常駐することができる。例示的な記憶媒体は、プロセッサが記憶媒体から情報を読むことができ、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別構成要素として常駐することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【０１０１】
１つまたは複数の態様では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１０２】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。さらに、「含む（include）」という用語は、発明を実施するための形態または特許請求の範囲のいずれかで使用される限り、「備える（comprising）」という用語を使用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【０１０３】
以下に、本願の出願当初請求項に記載された発明を付記する。
【０１０４】
［１］
下記を備える方法：
ワイヤレスネットワークにおいてサービス提供中のデバイスからダウンリンク割当てを受信すること；
前記ダウンリンク割当て中で指定されたリソースを介して、前記ワイヤレスネットワークにおいてサービスされるデバイスから送信されたアップリンク送信を取得すること；および、
前記アップリンク送信の１つまたは複数の態様に少なくとも部分的に基づいて、前記サービスされるデバイスを識別すること。
【０１０５】
［２］
前記サービスされるデバイスの識別情報をインターフェースまたは異種ネットワーク構成要素に提供することをさらに備える、上記［１］に記載の方法。
【０１０６】
［３］
前記サービス提供中のデバイスから前記アップリンク送信のための再送信通知を受信することをさらに備える、上記［１］に記載の方法。
【０１０７】
［４］
再送信タイムスロット中に、利用可能な送信電力の一部分を使用して、前記アップリンク送信を前記サービス提供中のデバイスに送信することをさらに備える、上記［３］に記載の方法。
【０１０８】
［５］
前記利用可能な送信電力の残りの部分を使用してピアツーピア通信をピアツーピアデバイスに送信することをさらに備える、上記［４］に記載の方法。
【０１０９】
［６］
前記ピアツーピアデバイスが前記サービスされるデバイスと同じデバイスである、上記［５］に記載の方法。
【０１１０】
［７］
前記サービス提供中のデバイスがアクセスポイントであり、前記サービスされるデバイスがモバイルデバイスである、上記［１］に記載の方法。
【０１１１】
［８］
下記を備えるワイヤレス通信装置：
モバイルデバイスのためのアクセスポイントによって送信されたリソース割当てを取得し、前記リソース割当て中のリソースの一部分を介して前記モバイルデバイスから前記アクセスポイントへのアップリンク送信を受信し、前記アップリンク送信の１つまたは複数の態様に少なくとも部分的に基づいて、前記モバイルデバイスを識別するように構成された少なくとも１つのプロセッサ；および、
前記少なくとも１つのプロセッサに結合されたメモリ。
【０１１２】
［９］
前記少なくとも１つのプロセッサが、前記モバイルデバイスの識別情報をインターフェースまたは異種ネットワーク構成要素に提供するようにさらに構成された、上記［８］に記載のワイヤレス通信装置。
【０１１３】
［１０］
前記少なくとも１つのプロセッサが、再送信期間中に前記アップリンク送信を前記アクセスポイントに再送信するようにさらに構成された、上記［８］に記載のワイヤレス通信装置。
【０１１４】
［１１］
前記少なくとも１つのプロセッサが、ピアツーピアデバイスと通信するようにさらに構成された、上記［１０］に記載のワイヤレス通信装置。
【０１１５】
［１２］
前記少なくとも１つのプロセッサが、少なくとも部分的に、前記アップリンク送信の再送信と送信電力を分割することによって、前記再送信期間中に前記ピアツーピアデバイスと通信する、上記［１１］に記載のワイヤレス通信装置。
【０１１６】
［１３］
前記ピアツーピアデバイスが前記モバイルデバイスである、上記［１１］に記載のワイヤレス通信装置。
【０１１７】
［１４］
下記を備える装置：
ワイヤレスネットワークにおいてサービス提供中のデバイスからダウンリンク割当てを受信するための手段；
前記ワイヤレスネットワークにおいてサービスされるデバイスから送信された、前記ダウンリンク割当てに関係するアップリンク送信を受信するための手段；および、
前記アップリンク送信に少なくとも部分的に基づいて、前記サービスされるデバイスを識別するための手段。
【０１１８】
［１５］
前記サービスされるデバイスを識別するための前記手段が、前記サービスされるデバイスの識別情報をインターフェースまたは他のネットワーク構成要素にさらに送信する、上記［１４］に記載の装置。
【０１１９】
［１６］
前記サービス提供中のデバイスから再送信通知を受信すると、再送信期間中に前記アップリンク送信を前記サービス提供中のデバイスに再送信するための手段をさらに備える、上記［１４］に記載の装置。
【０１２０】
［１７］
少なくとも部分的に、前記アップリンク送信を再送信するための前記手段と送信電力を分割することによって、前記再送信期間中にピアツーピアデバイスと通信するための手段をさらに備える、上記［１６］に記載の装置。
【０１２１】
［１８］
前記ピアツーピアデバイスが前記サービスされるデバイスである、上記［１７］に記載の装置。
【０１２２】
［１９］
前記サービス提供中のデバイスがアクセスポイントであり、前記サービスされるデバイスがモバイルデバイスである、上記［１４］に記載の装置。
【０１２３】
［２０］
下記のコードを備えるコンピュータ可読媒体を備えるコンピュータプログラム製品：
少なくとも１つのコンピュータに、ワイヤレスネットワークにおいてサービス提供中のデバイスからダウンリンク割当てを受信させるためのコード；
前記少なくとも１つのコンピュータに、前記ダウンリンク割当て中に指定されたリソースを介して、前記ワイヤレスネットワークにおいてサービスされるデバイスから送信されたアップリンク送信を取得させるためのコード；および、
前記少なくとも１つのコンピュータに、前記アップリンク送信の１つまたは複数の態様に少なくとも部分的に基づいて、前記サービスされるデバイスを識別させるためのコード。
【０１２４】
［２１］
前記コンピュータ可読媒体が、前記少なくとも１つのコンピュータに、前記サービスされるデバイスの識別情報をインターフェースまたは異種ネットワーク構成要素に提供させるためのコードをさらに備える、上記［２０］に記載のコンピュータプログラム製品。
【０１２５】
［２２］
前記コンピュータ可読媒体が、前記少なくとも１つのコンピュータに、前記サービス提供中のデバイスから前記アップリンク送信のための再送信通知を受信させるためのコードをさらに備える、上記［２０］に記載のコンピュータプログラム製品。
【０１２６】
［２３］
前記コンピュータ可読媒体が、前記少なくとも１つのコンピュータに、利用可能な送信電力の一部分を使用して、再送信タイムスロット中に前記アップリンク送信を前記サービス提供中のデバイスに送信させるためのコードをさらに備える、上記［２２］に記載のコンピュータプログラム製品。
【０１２７】
［２４］
前記コンピュータ可読媒体が、前記少なくとも１つのコンピュータに、前記利用可能な送信電力の残りの部分を使用して、ピアツーピア通信をピアツーピアデバイスに送信させるためのコードをさらに備える、上記［２３］に記載のコンピュータプログラム製品。
【０１２８】
［２５］
前記ピアツーピアデバイスが前記サービスされるデバイスと同じデバイスである、上記［２４］に記載のコンピュータプログラム製品。
【０１２９】
［２６］
前記サービス提供中のデバイスがアクセスポイントであり、前記サービスされるデバイスがモバイルデバイスである、上記［２０］に記載のコンピュータプログラム製品。
【０１３０】
［２７］
下記を備える装置：
ワイヤレスネットワークにおいてサービス提供中のデバイスからダウンリンク割当てを受信するダウンリンク割当て検出構成要素；
前記ワイヤレスネットワークにおいてサービスされるデバイスから送信された、前記ダウンリンク割当てに関係するアップリンク送信を受信するアップリンク送信分析構成要素；および、
前記アップリンク送信に少なくとも部分的に基づいて、前記サービスされるデバイスを識別するデバイス識別構成要素。
【０１３１】
［２８］
前記デバイス識別構成要素が、識別情報を前記サービスされるデバイスのインターフェースまたは他のネットワーク構成要素にさらに送信する、上記［２７］に記載の装置。
【０１３２】
［２９］
前記サービス提供中のデバイスから再送信通知を受信すると、再送信期間中に前記アップリンク送信を前記サービス提供中のデバイスに再送信するデバイス再送信構成要素をさらに備える、上記［２７］に記載の装置。
【０１３３】
［３０］
少なくとも部分的に、前記デバイス再送信構成要素と送信電力を分割することによって、データを前記再送信期間中にピアツーピアデバイスに送信するピアツーピア通信構成要素をさらに備える、上記［２９］に記載の装置。
【０１３４】
［３１］
前記ピアツーピアデバイスが前記サービスされるデバイスである、上記［３０］に記載の装置。
【０１３５】
［３２］
前記サービス提供中のデバイスがアクセスポイントであり、前記サービスされるデバイスがモバイルデバイスである、上記［２７］に記載の装置。
【０１３６】
［３３］
下記を備える方法：
ワイヤレスネットワークにおいて通信しているワイヤレスデバイスから送信を受信すること；
利用可能な送信電力の一部分を使用して、前記送信をタイムスロットにおいて関連するアクセスポイントに再送信すること；および、
前記利用可能な送信電力の残りの部分を使用して、前記タイムスロットにおいてピアツーピアデバイスと通信すること。
【０１３７】
［３４］
前記ワイヤレスデバイスに関係する制御チャネルを介して送信された再送信通知を受信することをさらに備え、前記送信を前記再送信することが、前記再送信通知に少なくとも部分的に基づいて実行される、上記［３３］に記載の方法。
【０１３８】
［３５］
前記ピアツーピアデバイスが前記ワイヤレスデバイスである、上記［３３］に記載の方法。
【０１３９】
［３６］
下記を備えるワイヤレス通信装置：
モバイルデバイスからアップリンク送信を取得し、利用可能な送信電力の一部分を使用して、前記アップリンク送信を関連するアクセスポイントに再送信し、前記利用可能な送信電力の残りの部分を使用して、ピアツーピアデバイスにデータを送信するように構成された少なくとも１つのプロセッサ；および、
前記少なくとも１つのプロセッサに結合されたメモリ。
【０１４０】
［３７］
前記少なくとも１つのプロセッサが、前記関連するアクセスポイントから前記モバイルデバイスのための制御チャネルを介して再送信要求を取得するようにさらに構成された、上記［３６］に記載のワイヤレス通信装置。
【０１４１】
［３８］
前記ピアツーピアデバイスが前記モバイルデバイスである、上記［３６］に記載のワイヤレス通信装置。
【０１４２】
［３９］
下記を備える装置：
ワイヤレスネットワークにおいて通信しているワイヤレスデバイスから送信を受信するための手段；
利用可能な送信電力の一部分を使用して、前記送信をタイムスロットにおいて関連するサービス提供中のデバイスに再送信するための手段；および、
前記利用可能な送信電力の残りの部分を使用して、前記タイムスロットにおいてピアツーピアデバイスと通信するための手段。
【０１４３】
［４０］
前記送信を受信するための前記手段が、前記関連するサービス提供中のデバイスから前記ワイヤレスデバイスのための制御チャネルを介して再送信通知をさらに受信する、上記［３９］に記載の装置。
【０１４４】
［４１］
前記ピアツーピアデバイスが前記ワイヤレスデバイスである、上記［３９］に記載の装置。
【０１４５】
［４２］
下記コードを備えるコンピュータ可読媒体を備えるコンピュータプログラム製品：
少なくとも１つのコンピュータに、ワイヤレスネットワークにおいて通信しているワイヤレスデバイスから送信を受信させるためのコード；
前記少なくとも１つのコンピュータに、利用可能な送信電力の一部分を使用して、前記送信をタイムスロットにおいて関係するアクセスポイントに再送信させるためのコード；および、
前記少なくとも１つのコンピュータに、前記利用可能な送信電力の残りの部分を使用して、前記タイムスロットにおいてピアツーピアデバイスと通信させるためのコード。
【０１４６】
［４３］
前記コンピュータ可読媒体が、前記少なくとも１つのコンピュータに、前記ワイヤレスデバイスに関係する制御チャネルを介して送信された再送信通知を受信させるためのコードをさらに備え、前記送信を再送信することが、前記再送信通知に少なくとも部分的に基づいて実行される、上記［４２］に記載のコンピュータプログラム製品。
【０１４７】
［４４］
前記ピアツーピアデバイスが前記ワイヤレスデバイスである、上記［４２］に記載のコンピュータプログラム製品。
【０１４８】
［４５］
下記を備える装置：
ワイヤレスネットワークにおいて通信しているワイヤレスデバイスから送信を受信するアップリンク送信分析構成要素；
利用可能な送信電力の一部分使用して、前記送信をタイムスロットにおいて関連するサービス提供中のデバイスに再送信するデバイス再送信構成要素；および、
前記利用可能な送信電力の残りの部分を使用して、前記タイムスロットにおいてピアツーピアデバイスにデータを送信するピアツーピア通信構成要素。
【０１４９】
［４６］
前記アップリンク送信分析構成要素が、前記関連するサービス提供中のデバイスから前記ワイヤレスデバイスのための制御チャネルを介して再送信通知をさらに受信する、上記［４５］に記載の装置。
【０１５０】
［４７］
前記ピアツーピアデバイスが前記ワイヤレスデバイスである、上記［４５］に記載の装置。
【図１】
0005805716.tif 000026
【図２】
0005805716.tif 000027
【図３】
0005805716.tif 000028
【図４】
0005805716.tif 000029
【図５】
0005805716.tif 000030
【図６】
0005805716.tif 000031
【図７】
0005805716.tif 000032
【図８】
0005805716.tif 000033
【図９】
0005805716.tif 000034
【図１０】
0005805716.tif 000035